(57)【特許請求の範囲】
【請求項１】
インレットに接続された充電ケーブルのロックアームの係止爪をロック部材によって位置規制することにより、前記充電ケーブルを前記インレットにロックする充電ケーブルロック装置において、
前記ロック部材を支持するロックハウジングと前記インレットの外形をなすインレットハウジングとの両者に亘って挿し込まれる固定ピンによって、前記インレットに組み付け固定されており、
前記固定ピンには、把持可能な樹脂製のグリップ部が設けられている
ことを特徴とする充電ケーブルロック装置。
【請求項２】
前記固定ピンは、前記ロックハウジングの背面側から組み付けられている
請求項１に記載の充電ケーブルロック装置。
【請求項３】
Ｕ字形状の前記固定ピンが有する一対の支持部によって前記ロックハウジングが前記インレットハウジングに固定されている請求項１または２に記載の充電ケーブルロック装置。
【請求項４】
前記固定ピンが最も奥に挿し込まれた位置に到達したとき、前記インレットハウジングに設けられた爪部に係止することによって、前記固定ピンの位置が固定されている請求項１〜３のうちいずれか一項に記載の充電ケーブルロック装置。
【発明の詳細な説明】
【技術分野】
【０００１】
本発明は、充電ケーブルをインレットにロック可能な充電ケーブルロック装置に関する。
【背景技術】
【０００２】
従来、例えばプラグインハイブリッド車や電気自動車等の場合、車載されたバッテリの充電は、充電設備から延びる充電ケーブルの先端の充電コネクタ（給電プラグ）を、車体に設けられたインレットに接続し、充電ケーブルに設けられた電源スイッチをオンすることにより実施される。また、車体に接続された充電ケーブルが盗難に遭わないように、充電ケーブルをインレットにロックする充電ケーブルロック装置を設けることが検討されている。この種の充電ケーブルロック装置としては、例えば充電ケーブルの先端に設けられたロックアームを、インレットの係止部に係止した状態で上から押さえ付けることにより、インレットにロックするものが周知である（特許文献１等参照）。
【先行技術文献】
【特許文献】
【０００３】
【特許文献１】特開２０１２−０７９５０３号公報
【発明の概要】
【発明が解決しようとする課題】
【０００４】
この種の充電ケーブルロック装置においては、インレットへ組み付けるときの組付作業性をよくしたいニーズがあった。
本発明の目的は、インレットへの組み付け時の作業性を向上することができる充電ケーブルロック装置を提供することにある。
【課題を解決するための手段】
【０００５】
前記問題点を解決する充電ケーブルロック装置は、インレットに接続された充電ケーブルのロックアームの係止爪をロック部材によって位置規制することにより、前記充電ケーブルを前記インレットにロックする構成において、前記ロック部材を支持するロックハウジングと前記インレットの外形をなすインレットハウジングとの両者に亘って挿し込まれる固定ピンによって、前記インレットに組み付け固定されている。
【０００６】
本構成によれば、固定ピンをロックハウジング及びインレットハウジングに亘って挿し込むという簡素な作業によって、充電ケーブルロック装置をインレットに固定することが可能となる。よって、充電ケーブルロック装置をインレットに組み付けるときの作業性を向上することが可能となる。
【０００７】
前記充電ケーブルロック装置において、前記固定ピンには、グリップ部が設けられていることが好ましい。この構成によれば、固定ピンの組み付け時、グリップ部を把持するようにして固定ピンを取り扱う。よって、固定ピンが持ち易くなるので、組付作業性を向上するのに一層有利となる。
【０００８】
前記充電ケーブルロック装置において、前記固定ピンは、前記ロックハウジングの背面側から組み付けられていることが好ましい。この構成によれば、組み付けられた固定ピンがロックハウジングの背面側に隠れるので、固定ピンが不正に外されてしまう状況を生じ難くすることが可能となる。
【０００９】
前記充電ケーブルロック装置において、Ｕ字形状の前記固定ピンが有する一対の支持部によって前記ロックハウジングが前記インレットハウジングに固定されていることが好ましい。この構成によれば、ロックハウジング及びインレットハウジングの組み付け状態を一対の支持部によって２点支持することが可能となるので、充電ケーブルロック装置をインレットにしっかりと固定するのに有利となる。
【００１０】
前記充電ケーブルロック装置において、前記固定ピンが最も奥に挿し込まれた位置に到達したとき、前記インレットハウジングに設けられた爪部に係止することによって、前記固定ピンの位置が固定されていることが好ましい。この構成によれば、固定ピンの挿し込みが完了した後、固定ピンを爪部により位置保持するので、固定ピンを抜け止めすることが可能となる。
【発明の効果】
【００１１】
本発明によれば、インレットへの組み付け時の作業性を向上することができる。
【図面の簡単な説明】
【００１２】
【図１】一実施形態の給電口付近の外観を示す斜視図。
【図２】充電ケーブルロック装置の斜視図。
【図３】（ａ）はグリップ部を有しない固定ピンの形状図、（ｂ）はグリップ部を有した固定ピンの形状図。
【図４】充電ケーブルロック装置をインレットに組み付ける前の斜視図。
【図５】固定ピンを組み付ける前の作業態様を示す斜視図。
【図６】固定ピンを挿し込み終えたときの斜視図。
【図７】組み付けが完了した充電ケーブルロック装置及びインレットの側面図。
【図８】別例の緩衝材を備えた固定ピンの斜視図。
【発明を実施するための形態】
【００１３】
以下、充電ケーブルロック装置の一実施形態を図１〜図７に従って説明する。
図１に示すように、例えばプラグインハイブリッド車や電気自動車等のバッテリ搭載型の車両１は、外部の充電設備（住宅電源、充電スタンド等）により車両１のバッテリ（図示略）を充電可能な充電システム２を備える。この場合、車体３の側壁には、車体３に設けられた給電口４を開閉するリッド５が設けられている。給電口４には、充電設備から延びる充電ケーブル６を接続することが可能なインレット７が設けられている。インレット７は、給電口４の内部の給電口フレーム８に凹設された穴部９内に配置されている。インレット７には、インレット７側の電気的な接続部１１が設けられている。
【００１４】
充電ケーブル６は、ケーブル線１４と、ケーブル線１４の先端に配置された充電コネクタ１５とを備える。充電コネクタ１５の先端には、インレット７との接続口となる筒状の接続部１６が設けられている。充電コネクタ１５をインレット７に接続するとき、接続部１６がインレット７の内部に挿し込まれる。充電コネクタ１５がインレット７に接続されたとき、接続部１６の内部に設けられた端子部（図示略）がインレット７の接続部１１と電気接続される。
【００１５】
充電ケーブル６（充電コネクタ１５）は、充電コネクタ１５をインレット７に接続したときの抜け止めとなるロックアーム１７が設けられている。ロックアーム１７は、先端に設けられた係止爪１８と、ロックアーム１７を作動させるときに操作する操作部１９とを備える。ロックアーム１７は、充電コネクタ１５内の付勢部によって閉じ側に常時付勢され、操作部１９を操作することで開き側に回動する。充電コネクタ１５がインレット７に接続されたときには、ロックアーム１７の係止爪１８が係止部２０に係止することにより、インレット７から抜け止めされる。
【００１６】
図２に示すように、充電システム２は、車両１のインレット７に装着された充電ケーブル６（充電コネクタ１５）をインレット７にロックすることが可能な充電ケーブルロック装置２３を備える。充電ケーブルロック装置２３は、充電ケーブルロック装置２３の本体部分をなすロック本体２４と、充電ケーブル６に係止されるロック部材２５とを備える。ロック本体２４は、例えばロック本体２４のケース部分をなすロックハウジング２６、ロック部材２５のアクチュエータ（図示略）、アクチュエータの駆動をロック部材２５のロック／アンロックの動きに変換するギヤ機構（図示略）等を備える。
【００１７】
ロック部材２５は、ロック本体２４からロック方向（図２の−Ｚ軸方向）に飛び出したりアンロック方向（図２の＋Ｚ軸方向）に引き込んだりする動きをとる。充電ケーブルロック装置２３は、インレット７の係止部２０に引っ掛かったロックアーム１７の係止爪１８に対し、ロック部材２５を上から接触可能とすることにより、充電ケーブル６をインレット７にロックする。
【００１８】
図３（ａ），（ｂ）に示すように、充電ケーブルロック装置２３をインレット７に固定する固定ピン２９は、Ｕ字形状（英字Ｕ形状）に形成されている。これにより、本例の固定ピン２９は、一対の支持部３０と、これらを繋ぐ連結部３１とを備える。図３（ｂ）に示すように、本例の固定ピン２９は、固定ピン２９の組み付け時にユーザが指で把持することが可能なグリップ部３２を備える。グリップ部３２は、例えば樹脂からなり、一対の支持部３０をその根元部分で支持するように固定ピン２９の基端に取り付けられている。グリップ部３２も、Ｕ字形状（英字Ｕ形状）をなすように形成されている。これにより、本例のグリップ部３２は、固定ピン２９の一方の角部を支持する腕部３３ａと、固定ピン２９の他方の角部を支持する腕部３３ｂと、これら腕部３３ａ，３３ｂを繋ぐ連結部３４とを備える。
【００１９】
図４に示すように、インレット７の外形（フレーム部分）をなすインレットハウジング３５の背面には、固定ピン２９を挿し込むための一対の挿通孔３６が設けられている。ロックハウジング２６の底部には、インレットハウジング３５の上部に設けられた取付穴３７に挿し込まれる一対の組付部３８が設けられ、この組付部３８に、固定ピン２９を挿し込む一対の挿通孔３９が設けられている。充電ケーブルロック装置２３の組付部３８がインレットハウジング３５の取付穴３７に挿し込まれた組み付け状態をとったとき、挿通孔３６，３９が対向する。
【００２０】
充電ケーブルロック装置２３は、ロック部材２５を支持するロックハウジング２６とインレットの外形をなすインレットハウジング３５との両者に亘って挿し込まれる固定ピン２９によって、インレット７に組み付け固定されている。本例の固定ピン２９は、ロックハウジング２６の背面側から組み付けられる。また、本例の充電ケーブルロック装置２３は、固定ピン２９が有する一対の支持部３０によってロックハウジング２６がインレットハウジング３５に固定されている。すなわち、固定ピン２９による２点支持によって、充電ケーブルロック装置２３がインレット７に支持される。
【００２１】
インレット７の背面には、ロックハウジング２６及びインレットハウジング３５に取り付けられた固定ピン２９を規定位置で保持する爪部４１が設けられている。本例の場合、固定ピン２９が最も奥に挿し込まれた位置（規定位置）に到達したとき、インレットハウジング３５の爪部４１に係止することによって、固定ピン２９の位置が固定される。本例の爪部４１は、スナップフィット構造によって固定ピン２９をインレットハウジング３５に固定する。
【００２２】
次に、図５〜図７を用いて、充電ケーブルロック装置２３の作用及び効果を説明する。
図５に示すように、充電ケーブルロック装置２３をインレット７に組み付けるとき、充電ケーブルロック装置２３をインレットハウジング３５に組み付け後、これらに固定ピン２９を挿し込む。すなわち、ロックハウジング２６の組付部３８をインレットハウジング３５の取付穴３７に挿し込んで仮組み付けした後、固定ピン２９の支持部３０を挿通孔３６，３９に挿し込む。
【００２３】
本例の場合、固定ピン２９にグリップ部３２が設けられるので、グリップ部３２の左右方向、すなわちグリップ部３２の一対の腕部３３ａ，３３ｂを指で挟むように持って固定ピン２９をロックハウジング２６及びインレットハウジング３５に組み付けることになる。よって、固定ピン２９の組み付けにあたり、指を製品（充電ケーブルロック装置２３等）に当てることなく組付作業を行うことが可能となる。また、固定ピン２９のグリップ部３２により、固定ピン２９の持ち方を誘導することも可能となるので、組付作業の作業性の向上に一層有利となる。
【００２４】
図６及び図７に示すように、固定ピン２９が最も奥に挿し込まれた位置に到達したとき、固定ピン２９は、インレットハウジング３５の爪部４１に係止することによって位置が固定される。すなわち、固定ピン２９は、最も奥に挿し込まれた位置に到達すると、腕部３３ａ，３３ｂの先端がインレット７の壁面に接触しつつ連結部３１が爪部４１に引っ掛かって抜け止めされる。以上により、インレット７への充電ケーブルロック装置２３の組み付けが完了する。
【００２５】
さて、本例の場合、充電ケーブルロック装置２３をインレット７に組み付けるにあたり、固定ピン２９によってこれらを固定する構造をとる。これにより、固定ピン２９をロックハウジング２６及びインレットハウジング３５に亘って挿し込むという簡素な作業によって、充電ケーブルロック装置２３をインレット７に固定することが可能となる。よって、充電ケーブルロック装置２３をインレット７に組み付けるときの作業性を向上することができる。
【００２６】
固定ピン２９には、組付作業時に指等で把持可能なグリップ部３２が設けられている。このため、固定ピン２９の組み付け時、グリップ部３２を把持するようにして固定ピン２９を取り扱う。よって、固定ピン２９が持ち易くなるので、組付作業性を向上するのに一層有利となる。また、固定ピン２９にグリップ部３２があると、固定ピン２９を掴み易いので、充電ケーブルロック装置２３及びインレット７のユニットの背面側に大きな組付スペース（図７参照）を用意しなくとも、固定ピン２９をユニットに組み付けることができる。よって、充電ケーブルロック装置２３をインレット７に組み付けたユニットの体格を小さく押さえるのにも有利となる。
【００２７】
固定ピン２９は、ロックハウジング２６の背面側から組み付けられている。よって、組み付けられた固定ピン２９がロックハウジング２６の背面側に隠れるので、固定ピン２９が不正に外されてしまう状況を生じ難くすることができる。
【００２８】
固定ピン２９は、一対の腕部３３ａ，３３ｂによってロックハウジング２６をインレットハウジング３５に固定する。よって、ロックハウジング２６及びインレットハウジング３５の組み付け状態を、一対の腕部３３ａ，３３ｂによって２点支持することが可能となるので、充電ケーブルロック装置２３をインレット７にしっかりと固定するのに有利となる。
【００２９】
固定ピン２９が最も奥に挿し込まれた位置（規定位置）に到達したときには、インレットハウジング３５に設けられた爪部４１に係止することによって、固定ピン２９の位置が固定される。よって、固定ピン２９の挿し込みが完了した後、固定ピン２９を爪部４１によって位置保持するので、固定ピン２９を抜け止めすることができる。すなわち、組み付けた固定ピン２９を、充電ケーブルロック装置２３及びインレット７のユニットから脱落し難くすることができる。
【００３０】
なお、実施形態はこれまでに述べた構成に限らず、以下の態様に変更してもよい。
・図８に示すように、固定ピン２９は、緩衝材４２を備えた構造でもよい。緩衝材４２は、組み付けられたインレット７及び充電ケーブルロック装置２３の間の振動を低減するためのものである。本例の緩衝材４２は、例えば樹脂材などからなり、一対の支持部３０及び連結部３１に囲まれるスペースに配置されている。固定ピン２９に緩衝材４２を設ければ、振動の低減により、異音等の発生を抑制することができる。
【００３１】
・固定ピン２９は、一対の支持部３０を有する両持ち形状に限定されず、例えば支持部３０を１つのみ有する片持ち形状としてもよい。
・固定ピン２９は、背面側から挿し込まれることに限らず、例えば側面からなど、他の方向を挿し込み方向としてもよい。
【００３２】
・固定ピン２９は、金属製（金属ピン）であることが好ましい。
・固定ピン２９の形状は、必要に応じて適宜変更可能である。
・固定ピン２９は、グリップ部３２が省略された形状でもよい。
【００３３】
・固定ピン２９は、充電ケーブルロック装置２３をインレット７に固定できる（抜け止めできる）ものであれば、どのような形状や構造をとっていてもよい。
・充電ケーブルロック装置２３は、ロックアーム１７の操作を規制できる態様であれば、どのようなロック状態をとってもよい。
【００３４】
・インレット７への充電ケーブルロック装置２３の組付方向は、ロック部材２５のスライド方向がインレット７の高さ方向に沿う向きに限定されず、他の配置方向に変更してもよい。
【００３５】
・ロック部材２５（拘束体２６）は、スライド方向に往復動するものに限らず、例えば自位置で回動してロック／アンロックが切り替わるなど、他の構造に変更してもよい。すなわち、充電ケーブルロック装置２３の構成は、ロックアーム１７の操作規制が可能であれば、種々の構造に変更可能である。
【００３６】
・インレット７は、種々の形状に変更可能である。
・充電ケーブルロック装置２３は、アクチュエータによりロック部材２５が作動する電動式に限らず、例えばユーザの操作によってロック部材２５を作動させる機械式としてもよい。
【００３７】
次に、上記実施形態及び別例から把握できる技術的思想について、以下に追記する。
（イ）充電ケーブルが接続されるインレットと、当該インレットに接続された前記充電ケーブルのロックアームの係止爪をロック部材によって位置規制することで前記充電ケーブルを前記インレットにロックする充電ケーブルロック装置とを固定する充電ケーブルロック固定ピンにおいて、前記ロック部材を支持するロックハウジングと前記インレットの外形をなすインレットハウジングとの両者に亘って挿し込まれることにより、前記充電ケーブルロック装置を前記インレットに組み付け固定することを特徴とする充電ケーブルロック固定ピン。
【符号の説明】
【００３８】
１…車両、６…充電ケーブル、７…インレット、１７…ロックアーム、１８…係止爪、２３…充電ケーブルロック装置、２５…ロック部材、２６…ロックハウジング、２９…固定ピン、３０…支持部、３２…グリップ部、３５…インレットハウジング、４１…爪部。
【図１】
0006577413.tif 000002
【図２】
0006577413.tif 000003
【図３】
0006577413.tif 000004
【図４】
0006577413.tif 000005
【図５】
0006577413.tif 000006
【図６】
0006577413.tif 000007
【図７】
0006577413.tif 000008
【図８】
0006577413.tif 000009